(57)【要約】【課題】薬液散布作業車両において、走行車体の据え付け面から薬液タンクをタンクスタンドに安定状態で楽に載せ替える。【解決手段】防除散布装置を備え走行車体の操縦席の後側部に薬液タンクを備え、走行車体の後部には前記薬液タンクを取り外して他の作業機を取り付け可能に構成した作業車両において、下端部にキャスタを備え且つ上端部に前記薬液タンク載置用の水平状の上側載置部を備えているタンクスタンドを設け、該上側載置部の高さを走行車体の薬液タンクの据え付け面とほぼ同じ高さに設定し、前記走行車体の後側部と前記タンクスタンドの前側部との間には左右方向中心部の一致状態で連結できる連結手段を設け、前記タンクスタンドの後側部には後方に突出するようにハンドルを設けたことを特徴とする作業車両の構成とする。【選択図】図７
2016202143.tif 000002
【特許請求の範囲】
【請求項１】
防除散布装置（１１）を備え走行車体（２）の操縦席（６）の後側部に薬液タンク（９）を備え、走行車体（２）の後部には前記薬液タンク（９）を取り外して他の作業機を取り付け可能に構成した作業車両において、下端部にキャスタ（２７,…）を備え且つ上端部に前記薬液タンク（９）載置用の水平状の上側載置部（２６a）を備えているタンクスタンド（２６）を設け、該上側載置部（２６a）の高さを走行車体（２）の薬液タンク（９）の据え付け面とほぼ同じ高さに設定し、前記走行車体（２）の後側部と前記タンクスタンド（２６）の前側部との間には左右方向中心部の一致状態で連結できる連結手段（２a,２a、２８，２８）を設け、前記タンクスタンド（２６）の後側部には後方に突出するようにハンドル（３０）を設けたことを特徴とする作業車両。
【請求項２】
前記タンクスタンド（２６）の後側部に後方突出状態で設けているハンドル（３０）をタンクスタンド（２６）の前側部あるいは左右両側部のいずれかに付け替え可能に構成したことを特徴とする請求項１に記載の作業車両。
【請求項３】
前記タンクスタンド（２６）のハンドル（３０）を前後左右の突出状態と下方収納状態に変更可能に構成したことを特徴とする請求項１又は請求項２に記載の作業車両。
【発明の詳細な説明】
【技術分野】
【０００１】
この発明は、作業車両の薬液タンク載せ替え装置に関するものである。
【背景技術】
【０００２】
薬液散布作業車において、薬液タンクの前側に操縦席を配設し、操縦席の左右両側及び後側部を取り囲むように薬液タンクを配設し、取り外している薬液タンクをスタンドに載置し、作業機昇降用の昇降リンクを利用し作業車に載せ替えるようにしたものは、公知である（特許文献１）。
【先行技術文献】
【特許文献】
【０００３】
【特許文献１】特開２０１２−１５７２５０号公報
【発明の概要】
【発明が解決しようとする課題】
【０００４】
本発明は、薬液散布作業車両において、タンクスタンドに載置している薬液タンクを昇降リンクなど使用せずに作業車両に安定した状態で楽に載せ替えると共に、タンクスタンドでの薬液タンクの運搬を容易にしようとするものである。
【課題を解決するための手段】
【０００５】
請求項１の発明は、防除散布装置（１１）を備え走行車体（２）の操縦席（６）の後側部に薬液タンク（９）を備え、走行車体（２）の後部には前記薬液タンク（９）を取り外して他の作業機を取り付け可能に構成した作業車両において、下端部にキャスタ（２７,…）を備え且つ上端部に前記薬液タンク（９）載置用の水平状の上側載置部（２６a）を備えているタンクスタンド（２６）を設け、該上側載置部（２６a）の高さを走行車体（２）の薬液タンク（９）の据え付け面とほぼ同じ高さに設定し、前記走行車体（２）の後側部と前記タンクスタンド（２６）の前側部との間には左右方向中心部の一致状態で連結できる連結手段（２a,２a、２８，２８）を設け、前記タンクスタンド（２６）の後側部には後方に突出するようにハンドル（３０）を設けたことを特徴とする作業車両である。
【０００６】
請求項２の発明は、前記タンクスタンド（２６）の後側部に後方突出状態で設けているハンドル（３０）をタンクスタンド（２６）の前側部あるいは左右両側部のいずれかに付け替え可能に構成したことを特徴とする請求項１に記載の作業車両である。
【０００７】
請求項３の発明は、前記タンクスタンド（２６）のハンドル（３０）を前後左右の突出状態と下方収納状態に変更可能に構成したことを特徴とする請求項１又は請求項２に記載の作業車両である。
【発明の効果】
【０００８】
請求項１の発明によると、特許請求の範囲の項に記載の特徴構成に基づき、走行車体（２）とタンクスタンド（２６）を左右方向中心部合致状態で近接連結することのより、走行車体（２）の薬液タンク（９）の据え付け面とタンクスタンド（２６）の上側載置部（２６a）を前後に連続した平面とし、薬液タンク（9）をそのまま前後に移動させることにより走行車体（２）の据え付け面とタンクスタンド（２６）の上側載置部（２６a）に左右中心部一致状態の安定姿勢で楽に載せ替えることができる。また、ハンドル（３０）を操作しタンクスタンド（２６）を保管場所まで楽に移動し、薬液タンク（9）をタンクスタンド（２６）に載せたまま保管することができ、薬液タンク（９）を走行車体（2）に載せ換えるときにも、薬液タンク（9）を地面から持ち上げることなく楽に載せ替えることができる。
【０００９】
請求項２の発明によると、請求項１の発明の前記効果に加えて、特許請求の範囲の項に記載の特徴構成に基づき、ハンドル（３０）をタンクスタンド（２６）の前側部あるいは左右両側部に付け替えることにより、運搬時のハンドル（３０）が持ちやすくなり、タンクスタンド（２６）を保管場所まで楽に移動することができる。
【００１０】
請求項３の発明によると、請求項1又は請求項２の発明の前記効果に加えて、特許請求の範囲の項に記載の特徴構成に基づき、タンクスタンド（２６）のハンドル（３０）を突出状態から下方収納状態にすることにより、タンクスタンド（２６）に薬液タンク（９）を載せた状態でコンパクトに収納することができる。
【図面の簡単な説明】
【００１１】
【図１】薬液散布作業車の側面図。
【図２】薬液散布作業車の平面図。
【図３】薬液散布作業車の正面図。
【図４】薬液散布作業車の一部省略した側面図。
【図５】薬液散布作業車の一部省略した平面図。
【図６】薬液散布作業車の一部省略した背面図。
【図７】薬液散布作業車及びタンクスタンドの側面図。
【図８】薬液散布作業車及びタンクスタンドの平面図。
【図９】タンクスタンドの側面図。
【図１０】タンクスタンドの平面図。
【図１１】タンクスタンドの正面図。
【図１２】タンクスタンドの側面図。
【図１３】タンクスタンドの平面図。
【図１４】タンクスタンドの正面図。
【発明を実施するための形態】
【００１２】
以下図面を参照しながら作業車両にかかわる一実施形態としての薬液散布作業車について説明する。
【００１３】
まず、図１乃至図６に基づき本発明を備えた薬液散布作業車１の全体構成について説明する。なお、作業車両の前進方向を基準にして左右、前後と記載している。
【００１４】
薬液散布作業車１の走行車体２には左右一対の前輪３，３と左右一対の後輪４，４が設けられていて、走行車体２の前側部には防除散布装置１１が取り付けられている。
【００１５】
なお、本実施形態の薬液散布作業車１は、図６に示すように、最低地上高を高くし車輪間距離（トレッド）を広く構成している。
【００１６】
走行車体２の左右前輪３，３間の上方にはボンネット５で覆われたエンジンＥが搭載されている。左右前輪３，３と左右後輪４，４間の上方には操縦席６を設け、操縦席６の前方にステアリングハンドル７が設けられている。
【００１７】
ステアリング  ハンドル７を左右に操舵すると、左右一対の前輪３，３及び後輪４，４が同時に連動し互いに逆位相に操舵され、小回り走行ができる四輪操舵構成としている。
【００１８】
また、操縦席６の左右両側及び後側を取り囲むように薬液タンク９を設けている。図４,図５に示すように、走行車体２の後部から所定空間を空けて左右後部補助枠２a,2aを延設し、走行車体2の後部上面及び左右後部補助枠２a,２aの上面に跨るように薬液タンク9を載置し着脱自在に取り付けている。左右後部補助枠２a,２aのいずれか一方の下方部位に防除ポンプ１０を設けている。
【００１９】
また、図１〜３に示すように、防除散布装置１１は機体前方に位置するセンター散布ブーム１１ｃと、センター散布ブーム１１ｃの左右両側に取り付けている左右散布ブーム１１Ｌ，１１Ｒとで構成されている。
【００２０】
そして、防除散布装置１１を昇降シリンダ１５により昇降し、左右開閉レバー（図示省略）を操作すると、それぞれ単独で左右両側に突出した散布作業状態（図２,図３に示す）と、走行車体２の両側方に沿わせた収納状態（図１に示す）とに変更できるように構成している。なお、１３,１３は収納状態の左右散布ブーム１１L,１１Rを保持する左右保持枠である。
【００２１】
そして、薬液タンク９の薬液は防除ポンプ１０により防除散布装置１１に送られ、センター散布ブーム１１ｃ，左右散布ブーム１１Ｌ，１１Ｒの多数の散布ノズル１４，…から薬液が散布される。
【００２２】
また、乗用作業車の走行車体２の後部にはPTO軸２１（図6に示す）を後方に突出するように設け、走行車体２の後部には左右方向の軸回りに上下回動する左右昇降アーム２２,２２を設け、左右昇降アーム２２,２２を昇降シリンダ（図示省略）により昇降回動し、薬液タンク9の据え付け面の下方部位から所定距離上方までの間を昇降回動するように構成している。
【００２３】
そして、薬液タンク9を取り外した状態で、左右昇降アーム２２,２２の後端部に例えばロータリ耕耘装置（図示省略）を昇降可能に連結し、PTO軸２１からロータリ耕耘装置に動力を伝達し、耕耘作業もできるように構成している。
【００２４】
次に、タンクスタンド２６を利用した薬液タンク9の取り外し取り付け構成について説明する。
【００２５】
タンクスタンド２６を、図９〜図１１に示すように、例えば平面視四角形状で、且つ側面視で上下に長い四角形状となるように枠組み構成し、下端四隅にキャスタ２７,…を備え、上端部には水平状の上側載置部２６aを備えるように構成している。そして、上側載置部２６aを例えば平面視で四角形状の枠体で構成し、且つ、タンクスタンド２６の四角形枠よりも前後左右に広がるように大きく構成し、上側載置部２６aの高さを走行車体２の薬液タンク9の据え付け面とほぼ同じ高さとなるように構成している。
【００２６】
走行車体2の前記左右後部補助枠2a,2aの左右内側部位から後方へ左右基準枠２８，２８を後方へ延出し、左右基準枠２８,２８を断面角パイプで構成している。また、タンクスタンド２６の上側載置部２６aの前側端部から前方に左右基準棒２９a,２９aを延出し、左右基準枠２８，２８の角パイプ内に左右基準棒２９，２９を後側から挿入可能に構成している。そして、左右基準枠２８，２８、左右基準棒２９,２９の挿入嵌合状態で、走行車体2とタンクスタンド２６の左右方向の中心線が一致した状態で連結できるように構成している。
【００２７】
タンクスタンド２６の後側上部には図７,図８に示すように、後方に突出するようにハンドル３０を設けている。そして、このハンドル３０を後側に水平状に突出する基部ハンドルと、後上がり傾斜状の把持部とで構成し、上側載置部２６aに薬液タンク9を載置した状態で、平面視で薬液タンク9の後端部からハンドル２６の把持部が後側に突出するように構成し、オペレータはハンドル２６の把持部を握り、薬液タンク9を支えながらタンクスタンド２６を移動できるようにし、タンクスタンド２６の移動の利便性向上を図っている。
【００２８】
なお、薬液タンク９の底面に転輪を設け、前後方向への移動を容易にしてもよい。
【００２９】
また、タンクスタンド９にハンドル３０を着脱自在に取り付け、タンクスタンド２６の後側部から取り外し、前側部に取り付け変更できるように構成している。
【００３０】
前記構成によると、走行車体２とタンクスタンド２６を左右方向中心線合致状態で近接連結すると、走行車体２の薬液タンク９の据え付け面とタンクスタンド２６の上側載置部２６aが同じ高さとなり、オペレータは薬液タンク9をそのまま後方に移動させることにより、タンクスタンド２６の上側載置部２６aに薬液タンク9の左右方向中心一致状態で楽に載せ替えることができる。
【００３１】
また、オペレータはタンクスタンド２６の後側に位置しているハンドル３０を押し操作し、また、前側に付け替えたタンクスタンド２６を引き操作し保管場所まで移動することができる。また、タンクスタンド２６のハンドル３０の把持部は平面視で薬液タンク9の外周部より外側に突出しているので、薬液タンク9を保護することもできる。
【００３２】
また、タンクスタンド２６から走行車体２に薬液タンク9を載せ替える場合には、走行車体２の後方にタンクスタンド２６を移動し、左右基準枠２８，２８の角パイプに左右基準棒２９,２９を挿入連結すると、左右方向中心線合致状態で且つ走行車体２の薬液タンク９の据え付け面とタンクスタンド２６の上側載置部２６aが同じ高さとなり、オペレータは薬液タンク9をそのまま前方へ移動させることにより、走行車体2の据え付け面に薬液タンク9の左右中心一致状態で楽に載せ替えることができる。
【００３３】
また、タンクスタンド２６の後側にのみに設けているハンドル３０をタンクスタンド２６の右側面あるいは左側面に付け替えるように構成し、移動の利便性を向上するようにしてもよい。
【００３４】
また、タンクスタンド２６の左右両側部及び後側部にそれぞれハンドル３０を取り付けるように構成してもよい。
【００３５】
また、前記タンクスタンド２６のハンドル３０を、図１２〜図１４に示すように、タンクスタンド２６の上側載置部２６aの前後両側部,左右両側部に例えば上下回動自在に取り付け、ハンドル３０を前後,左右に突出した状態で固定した使用状態し、あるいは、下方へ回動し収納状態に変更可能に構成してもよい。
【００３６】
このように構成すると、運搬時のハンドル３０の把持部が持ちやすくなり、また、ハンドル３０を下方に収納することにより、薬液タンク９を載せたタンクスタンド２６の収納空間をコンパクトにすることができる。
【符号の説明】
【００３７】
２    走行車体
３    前輪
４    後輪
６    操縦席
９    薬液タンク
１１    防除散布装置
２６    タンクスタンド
２６a  上側載置部
２７    キャスタ
２８    左右基準枠
２９    左右基準棒
３０    ハンドル
【図１】
2016202143.tif 000003
【図２】
2016202143.tif 000004
【図３】
2016202143.tif 000005
【図４】
2016202143.tif 000006
【図５】
2016202143.tif 000007
【図６】
2016202143.tif 000008
【図７】
2016202143.tif 000009
【図８】
2016202143.tif 000010
【図９】
2016202143.tif 000011
【図１０】
2016202143.tif 000012
【図１１】
2016202143.tif 000013
【図１２】
2016202143.tif 000014
【図１３】
2016202143.tif 000015
【図１４】
2016202143.tif 000016